(57)【要約】【課題】本発明は親機と子機とから構成され無線通信を行う無線データ収集システムにおいて、子機に顧客ＩＤを設定後に親機と縁組を行なわなければならないという縁組操作の煩雑さや、顧客ＩＤの設定間違いがあると異なった顧客のデータを収集する等を解決する方法を課題とするものである。【解決手段】子機２１の顧客ＩＤ記憶手段Ｂ２３が初期値であっても、親機１と縁組を可能にする子機縁組制御手段Ａ２８と親機縁組制御手段Ａ８により縁組を可能にし、縁組後に親機ダウンロード手段１２、子機ダウンロード手段Ａ３２により顧客ＩＤ記憶手段に所定の顧客ＩＤを設定することにより縁組前の設定を簡略化することができる。【選択図】図１
2005260538.tif 000002
【特許請求の範囲】
【請求項１】
親機と子機から構成され無線を介して通信を行う無線通信システムにおいて、データ送信またはデータ受信を行う親機無線通信手段と、前記親機無線通信手段が送信時にデータに付加するユニークな識別符号（ＩＤ）を記憶する親機ＩＤ記憶手段と、顧客ＩＤを子機に設定するよう動作すると共に顧客ＩＤを記憶する顧客ＩＤ記憶手段Ａと、通信を行う子機ＩＤを記憶する子機ＩＤ親記憶手段と、子機との縁組を行い前記子機ＩＤ親記憶手段に子機ＩＤを設定する親機縁組制御手段Ａと、子機からの受信が指定の子機ＩＤかどうかを判別する子機ＩＤ判別手段と、前記親機ＩＤ記憶手段に内容を登録する親機登録手段と、前記子機ＩＤ判別手段からの情報を解析する親機受信解析手段と、前記親機無線通信手段にデータ送信の処理を行う親機送信制御手段と、通信インフラとのデータ通信を行なう上流側データ通信インターフェース手段と、前記通信インフラからのデータをダウンロードし少なくとも前記顧客ＩＤ記憶手段Ａにデータを設定する親機ダウンロード手段Ａを備えた親機と、データ送信またはデータ受信を行う子機無線通信手段と、前記子機無線通信手段が送信時にデータに付加するユニークな識別符号（ＩＤ）を記憶する子機ＩＤ記憶手段と、顧客のＩＤを記憶する顧客ＩＤ記憶手段Ｂと、通信を行う親機のＩＤを記憶する親機ＩＤ子記憶手段と、親機との縁組を行い前記顧客ＩＤ記憶手段Ｂのデータを前記顧客ＩＤ記憶手段Ａに設定する子機縁組制御手段Ａと、親機からの受信が指定の親機ＩＤかどうかを判別する親機ＩＤ判別手段と、前記子機ＩＤ記憶手段に内容を登録する子機登録手段と、前記親機ＩＤ判別手段からの情報を解析する子機受信解析手段と、前記子機無線通信手段にデータ送信の処理を行う子機送信制御手段と、端末機器とのデータ通信を行なう端末データ通信インターフェース手段と、親機からのデータをダウンロードし少なくとも前記顧客ＩＤ記憶手段Ｂにデータを設定する子機ダウンロード手段Ａを備えた子機とから構成される無線データ収集システム。
【請求項２】
親機と子機から構成され無線を介して通信を行う無線通信システムにおいて、データ送信またはデータ受信を行う親機無線通信手段と、前記親機無線通信手段が送信時にデータに付加するユニークな識別符号（ＩＤ）を記憶する親機ＩＤ記憶手段と、顧客ＩＤを子機に設定するよう動作すると共に顧客ＩＤを記憶する顧客ＩＤ記憶手段Ａと、通信を行う子機ＩＤを記憶する子機ＩＤ親記憶手段と、子機との縁組を行い前記子機ＩＤ親記憶手段に子機ＩＤを設定する親機縁組制御手段Ｂと、子機からの受信が指定の子機ＩＤかどうかを判別する子機ＩＤ判別手段と、前記親機ＩＤ記憶手段に内容を登録する親機登録手段と、前記子機ＩＤ判別手段からの情報を解析する親機受信解析手段と、前記親機無線通信手段にデータ送信の処理を行う親機送信制御手段と、通信インフラとのデータ通信を行なう上流側データ通信インターフェース手段と、前記通信インフラからのデータをダウンロードし少なくとも前記顧客ＩＤ記憶手段Ａにデータを設定する親機ダウンロード手段Ａを備えた親機と、データ送信またはデータ受信を行う子機無線通信手段と、前記子機無線通信手段が送信時にデータに付加するユニークな識別符号（ＩＤ）を記憶する子機ＩＤ記憶手段と、顧客のＩＤを記憶する顧客ＩＤ記憶手段Ｂと、通信を行う親機のＩＤを記憶する親機ＩＤ子記憶手段と、親機との縁組を行い前記子機ＩＤ記憶手段のデータを前記子機ＩＤ親記憶手段に設定する子機縁組制御手段Ｂと、親機からの受信が指定の親機ＩＤかどうかを判別する親機ＩＤ判別手段と、前記子機ＩＤ記憶手段に内容を登録する子機登録手段と、前記親機ＩＤ判別手段からの情報を解析する子機受信解析手段と、前記子機無線通信手段にデータ送信の処理を行う子機送信制御手段と、端末機器とのデータ通信を行なう端末データ通信インターフェース手段と、親機からのデータをダウンロードし少なくとも前記顧客ＩＤ記憶手段Ｂにデータを設定する子機ダウンロード手段Ａを備えた子機とから構成される無線データ収集システム。
【請求項３】
親機と子機から構成され無線を介して通信を行う無線通信システムにおいて、データ送信またはデータ受信を行う親機無線通信手段と、前記親機無線通信手段が送信時にデータに付加するユニークな識別符号（ＩＤ）を記憶する親機ＩＤ記憶手段と、通信を行う子機ＩＤを記憶する子機ＩＤ親記憶手段と、子機との縁組を行い前記子機ＩＤ親記憶手段に子機ＩＤを設定する親機縁組制御手段Ｂと、顧客のＩＤと前記子機ＩＤ親記憶手段の内容を関連付けて記憶する顧客ＩＤ記憶手段Ｃと、子機からの受信が指定の子機ＩＤかどうかを判別する子機ＩＤ判別手段と、前記親機ＩＤ記憶手段に内容を登録する親機登録手段と、前記子機ＩＤ判別手段からの情報を解析する親機受信解析手段と、前記親機無線通信手段にデータ送信の処理を行う親機送信制御手段と、通信インフラとのデータ通信を行なう上流側データ通信インターフェース手段と、前記通信インフラからのデータをダウンロードし少なくとも前記顧客ＩＤ記憶手段Ｃにデータを設定する親機ダウンロード手段Ｂを備えた親機と、データ送信またはデータ受信を行う子機無線通信手段と、前記子機無線通信手段が送信時にデータに付加するユニークな識別符号（ＩＤ）を記憶する子機ＩＤ記憶手段と、顧客のＩＤを記憶する顧客ＩＤ記憶手段Ｂと、通信を行う親機のＩＤを記憶する親機ＩＤ子記憶手段と、親機との縁組を行い前記子機ＩＤ記憶手段のデータを前記子機ＩＤ親記憶手段に設定する子機縁組制御手段Ｂと、親機からの受信が指定の親機ＩＤかどうかを判別する親機ＩＤ判別手段と、前記子機ＩＤ記憶手段に内容を登録する子機登録手段と、前記親機ＩＤ判別手段からの情報を解析する子機受信解析手段と、前記子機無線通信手段にデータ送信の処理を行う子機送信制御手段と、端末機器とのデータ通信を行なう端末データ通信インターフェース手段とを備えた子機とから構成される無線データ収集システム。
【請求項４】
親機と複数の子機から構成され無線を介して通信を行う無線通信システムにおいて、データ送信またはデータ受信を行う親機無線通信手段と、前記親機無線通信手段が送信時にデータに付加するユニークな識別符号（ＩＤ）を記憶する親機ＩＤ記憶手段と、顧客ＩＤを子機に設定するよう動作すると共に顧客ＩＤを記憶する顧客ＩＤ記憶手段Ｄと、通信を行う複数の子機ＩＤを記憶する子機ＩＤ親記憶手段と、子機との縁組を行い前記子機ＩＤ親記憶手段に子機ＩＤを設定する親機縁組制御手段Ｂと、子機からの受信が指定の子機ＩＤかどうかを判別する子機ＩＤ判別手段と、前記親機ＩＤ記憶手段に内容を登録する親機登録手段と、前記子機ＩＤ判別手段からの情報を解析する親機受信解析手段と、前記親機無線通信手段にデータ送信の処理を行う親機送信制御手段と、通信インフラとのデータ通信を行なう上流側データ通信インターフェース手段と、前記通信インフラからのデータをダウンロードし少なくとも前記顧客ＩＤ記憶手段Ａにデータを設定する親機ダウンロード手段Ｃを備えた親機と、データ送信またはデータ受信を行う子機無線通信手段と、前記子機無線通信手段が送信時にデータに付加するユニークな識別符号（ＩＤ）を記憶する子機ＩＤ記憶手段と、顧客のＩＤを記憶する顧客ＩＤ記憶手段Ｂと、通信を行う親機のＩＤを記憶する親機ＩＤ子記憶手段と、親機との縁組を行い前記子機ＩＤ記憶手段のデータを前記子機ＩＤ親記憶手段に設定する子機縁組制御手段Ｂと、親機からの受信が指定の親機ＩＤかどうかを判別する親機ＩＤ判別手段と、前記子機ＩＤ記憶手段に内容を登録する子機登録手段と、前記親機ＩＤ判別手段からの情報を解析する子機受信解析手段と、前記子機無線通信手段にデータ送信の処理を行う子機送信制御手段と、端末機器とのデータ通信を行なう端末データ通信インターフェース手段と、親機からのデータをダウンロードし少なくとも前記顧客ＩＤ記憶手段Ｂにデータを設定する子機ダウンロード手段Ｃを備えた子機とから構成される無線データ収集システム。
【請求項５】
親機と複数の子機から構成され無線を介して通信を行う無線通信システムにおいて、データ送信またはデータ受信を行う親機無線通信手段と、前記親機無線通信手段が送信時にデータに付加するユニークな識別符号（ＩＤ）を記憶する親機ＩＤ記憶手段と、顧客ＩＤを子機に設定するよう動作すると共に顧客ＩＤを記憶する顧客ＩＤ記憶手段Ｅと、通信を行う複数の子機ＩＤを記憶する子機ＩＤ親記憶手段と、子機との縁組を行い前記子機ＩＤ親記憶手段に子機ＩＤを設定する親機縁組制御手段Ｃと、子機からの受信が指定の子機ＩＤかどうかを判別する子機ＩＤ判別手段と、前記親機ＩＤ記憶手段に内容を登録する親機登録手段と、前記子機ＩＤ判別手段からの情報を解析する親機受信解析手段と、前記親機無線通信手段にデータ送信の処理を行う親機送信制御手段と、通信インフラとのデータ通信を行なう上流側データ通信インターフェース手段と、前記通信インフラからのデータをダウンロードし少なくとも前記顧客ＩＤ記憶手段Ｅにデータを設定する親機ダウンロード手段Ｄを備えた親機と、データ送信またはデータ受信を行う子機無線通信手段と、前記子機無線通信手段が送信時にデータに付加するユニークな識別符号（ＩＤ）を記憶する子機ＩＤ記憶手段と、通信を行う親機のＩＤを記憶する親機ＩＤ子記憶手段と、親機との縁組を行い前記子機ＩＤ記憶手段のデータを前記子機ＩＤ親記憶手段に設定する子機縁組制御手段Ｃと、親機からの受信が指定の親機ＩＤかどうかを判別する親機ＩＤ判別手段と、前記子機ＩＤ記憶手段に内容を登録する子機登録手段と、前記親機ＩＤ判別手段からの情報を解析する子機受信解析手段と、前記子機無線通信手段にデータ送信の処理を行う子機送信制御手段と、端末機器とのデータ通信を行なう端末データ通信インターフェース手段とを備えた子機とから構成される無線データ収集システム。
【発明の詳細な説明】
【技術分野】
【０００１】
本発明は、親機と子機から構成され無線を介して通信を行う無線通信システムに関するものである。
【背景技術】
【０００２】
従来のこの種の無線データ収集システムは親機と子機の縁組み操作を行った後、通信動作を行うように構成されたものがある（例えば、特開文献１参照）。
【０００３】
従来の無線データ収集システムを図１１を用いて説明する。図１１の親機１と子機２１から構成され無線を介して通信を行う無線通信システムにおいて、データ送信またはデータ受信を行う親機無線通信手段２と、親機無線通信手段２が送信時にデータに付加するユニークな識別符号（ＩＤ）を記憶する親機ＩＤ記憶手段４と、顧客ＩＤを記憶する顧客ＩＤ記憶手段Ｆ３７と、通信を行う子機ＩＤを記憶する子機ＩＤ親記憶手段６と、子機との縁組を行い子機ＩＤ親記憶手段６に子機ＩＤを設定する親機縁組制御手段Ｄ３９と、子機からの受信が指定の子機ＩＤかどうかを判別する子機ＩＤ判別手段５と、前記親機ＩＤ記憶手段に内容を登録する親機登録手段７と、子機ＩＤ判別手段５からの情報を解析する親機受信解析手段９と、親機無線通信手段９にデータ送信の処理を行う親機送信制御手段１０と、通信インフラ１３とのデータ通信を行なう上流側データ通信インターフェース手段１１と、通信インフラ１３からのデータをダウンロードし少なくとも顧客ＩＤ記憶手段Ｆ３７にデータを設定する親機ダウンロード手段Ｅ３９を備えた親機と、データ送信またはデータ受信を行う子機無線通信手段２２と、子機無線通信手段２２が送信時にデータに付加するユニークな識別符号（ＩＤ）を記憶する子機ＩＤ記憶手段２４と、顧客のＩＤを記憶する顧客ＩＤ記憶手段Ｂ２３と、通信を行う親機のＩＤを記憶する親機ＩＤ子記憶手段２６と、親機との縁組を行い顧客ＩＤ記憶手段Ｂ２３のデータを顧客ＩＤ記憶手段Ｂ２３に設定する子機縁組制御手段Ｄ４０と、親機からの受信が指定の親機ＩＤかどうかを判別する親機ＩＤ判別手段２５と、子機ＩＤ記憶手段２４に内容を登録する子機登録手段２７と、親機ＩＤ判別手段２５からの情報を解析する子機受信解析手段２９と、子機無線通信手段２２にデータ送信の処理を行う子機送信制御手段３０と、端末機器３３とのデータ通信を行なう端末データ通信インターフェース手段３１と、親機からのデータをダウンロードし少なくとも顧客ＩＤ記憶手段Ｂ２３にデータを設定する子機ダウンロード手段Ｅ４１を備えた子機とから構成される。
【０００４】
次に、図１２を用いて動作を説明する。図１２の（１）において端末データ通信インターフェース手段３１に図示はしないが設定器を接続し、子機登録手段２７を介して顧客ＩＤ記憶手段Ｂ２３に顧客宅のＩＤを設定する。次に（２）で親機１の親機縁組制御手段Ｄ３９を動作させると共に（３）で子機２１の子機縁組制御手段Ｄ４０を動作させ縁組を行う。（４）ではこの縁組操作により子機２１の顧客ＩＤ記憶手段Ｂ２３と子機ＩＤ記憶手段２４の内容はそれぞれ親機１の顧客ＩＤ記憶手段Ｆ３７と子機ＩＤ記憶手段６に記憶され（５）で縁組完了となる。これらＩＤは以後通信時の通信相手の判別に使用される。次に、センターからのダウンロードにより親機１や子機２１に通報先などの各種データを設定する。（６）において端末データ通信インタフェース手段３１に接続した設定器などから親機１へセンターロードの指示を出し、（７）で親機１は通信インフラを介してセンターへの接続動作を行う。センターに接続されると（８）でセンターは端末をＩＤを照合して、（９）で必要なデータを親機１に転送する。また、（１０）で親機１は子機２１に対して必要なデータを設定し、（１１）でデンターロードを終了するように動作する。
【特許文献１】特開２００２−１７０１８６号公報
【発明の開示】
【発明が解決しようとする課題】
【０００５】
しかしながら上記従来の無線データ収集システムでは、親機と子機の縁組を行う前に、子機に顧客ＩＤを設定しなければならず、操作が煩雑である他、設定間違いがあると他の住宅のデータを間違って収集することも発生するという欠点があった。
【課題を解決するための手段】
【０００６】
本発明は上記課題を解決するため、顧客ＩＤが初期値であっても親機と縁組できる親機縁組手段と子機縁組手段を設けることにより、無線子機に顧客ＩＤを設定しなくても親機との縁組を可能になるようにしたものである。
【０００７】
上記発明によれば、親機と子機の縁組の手順を省くことが可能となる。
【発明の効果】
【０００８】
本発明の無線データ収集システムによれば、顧客ＩＤ記憶手段が初期値であっても親機と子機の縁組が可能になるため縁組の手順が簡略化されると共に、子機への顧客ＩＤの設定間違いを防止することが可能となる。
【発明を実施するための最良の形態】
【０００９】
第１の発明は、親機と子機から構成され無線を介して通信を行う無線通信システムにおいて、データ送信またはデータ受信を行う親機無線通信手段と、前記親機無線通信手段が送信時にデータに付加するユニークな識別符号（ＩＤ）を記憶する親機ＩＤ記憶手段と、顧客ＩＤを子機に設定するよう動作すると共に顧客ＩＤを記憶する顧客ＩＤ記憶手段Ａと、通信を行う子機ＩＤを記憶する子機ＩＤ親記憶手段と、子機との縁組を行い前記子機ＩＤ親記憶手段に子機ＩＤを設定する親機縁組制御手段Ａと、子機からの受信が指定の子機ＩＤかどうかを判別する子機ＩＤ判別手段と、前記親機ＩＤ記憶手段に内容を登録する親機登録手段と、前記子機ＩＤ判別手段からの情報を解析する親機受信解析手段と、前記親機無線通信手段にデータ送信の処理を行う親機送信制御手段と、通信インフラとのデータ通信を行なう上流側データ通信インターフェース手段と、前記通信インフラからのデータをダウンロードし少なくとも前記顧客ＩＤ記憶手段Ａにデータを設定する親機ダウンロード手段Ａを備えた親機と、データ送信またはデータ受信を行う子機無線通信手段と、前記子機無線通信手段が送信時にデータに付加するユニークな識別符号（ＩＤ）を記憶する子機ＩＤ記憶手段と、顧客のＩＤを記憶する顧客ＩＤ記憶手段Ｂと、通信を行う親機のＩＤを記憶する親機ＩＤ子記憶手段と、親機との縁組を行い前記顧客ＩＤ記憶手段Ｂのデータを前記顧客ＩＤ記憶手段Ａに設定する子機縁組制御手段Ａと、親機からの受信が指定の親機ＩＤかどうかを判別する親機ＩＤ判別手段と、前記子機ＩＤ記憶手段に内容を登録する子機登録手段と、前記親機ＩＤ判別手段からの情報を解析する子機受信解析手段と、前記子機無線通信手段にデータ送信の処理を行う子機送信制御手段と、端末機器とのデータ通信を行なう端末データ通信インターフェース手段と、親機からのデータをダウンロードし少なくとも前記顧客ＩＤ記憶手段Ｂにデータを設定する子機ダウンロード手段Ａを備えた子機を有すものである。
【００１０】
そして、子機の顧客ＩＤ記憶手段が初期値であっても、親機と縁組を行うことが可能となる。
【００１１】
第２の発明は、親機と子機から構成され無線を介して通信を行う無線通信システムにおいて、データ送信またはデータ受信を行う親機無線通信手段と、前記親機無線通信手段が送信時にデータに付加するユニークな識別符号（ＩＤ）を記憶する親機ＩＤ記憶手段と、顧客ＩＤを子機に設定するよう動作すると共に顧客ＩＤを記憶する顧客ＩＤ記憶手段Ａと、通信を行う子機ＩＤを記憶する子機ＩＤ親記憶手段と、子機との縁組を行い前記子機ＩＤ親記憶手段に子機ＩＤを設定する親機縁組制御手段Ｂと、子機からの受信が指定の子機ＩＤかどうかを判別する子機ＩＤ判別手段と、前記親機ＩＤ記憶手段に内容を登録する親機登録手段と、前記子機ＩＤ判別手段からの情報を解析する親機受信解析手段と、前記親機無線通信手段にデータ送信の処理を行う親機送信制御手段と、通信インフラとのデータ通信を行なう上流側データ通信インターフェース手段と、前記通信インフラからのデータをダウンロードし少なくとも前記顧客ＩＤ記憶手段Ａにデータを設定する親機ダウンロード手段Ａを備えた親機と、データ送信またはデータ受信を行う子機無線通信手段と、前記子機無線通信手段が送信時にデータに付加するユニークな識別符号（ＩＤ）を記憶する子機ＩＤ記憶手段と、顧客のＩＤを記憶する顧客ＩＤ記憶手段Ｂと、通信を行う親機のＩＤを記憶する親機ＩＤ子記憶手段と、親機との縁組を行い前記子機ＩＤ記憶手段のデータを前記子機ＩＤ親記憶手段に設定する子機縁組制御手段Ｂと、親機からの受信が指定の親機ＩＤかどうかを判別する親機ＩＤ判別手段と、前記子機ＩＤ記憶手段に内容を登録する子機登録手段と、前記親機ＩＤ判別手段からの情報を解析する子機受信解析手段と、前記子機無線通信手段にデータ送信の処理を行う子機送信制御手段と、端末機器とのデータ通信を行なう端末データ通信インターフェース手段と、親機からのデータをダウンロードし少なくとも前記顧客ＩＤ記憶手段Ｂにデータを設定する子機ダウンロード手段Ａを備えた子機を有するものである。
【００１２】
そして、予め設定してある子機ＩＤにより縁組を行うために、子機に顧客ＩＤを設定しておく必要が無くなる。
【００１３】
第３の発明は、親機と子機から構成され無線を介して通信を行う無線通信システムにおいて、データ送信またはデータ受信を行う親機無線通信手段と、前記親機無線通信手段が送信時にデータに付加するユニークな識別符号（ＩＤ）を記憶する親機ＩＤ記憶手段と、通信を行う子機ＩＤを記憶する子機ＩＤ親記憶手段と、子機との縁組を行い前記子機ＩＤ親記憶手段に子機ＩＤを設定する親機縁組制御手段Ｂと、顧客のＩＤと前記子機ＩＤ親記憶手段の内容を関連付けて記憶する顧客ＩＤ記憶手段Ｃと、子機からの受信が指定の子機ＩＤかどうかを判別する子機ＩＤ判別手段と、前記親機ＩＤ記憶手段に内容を登録する親機登録手段と、前記子機ＩＤ判別手段からの情報を解析する親機受信解析手段と、前記親機無線通信手段にデータ送信の処理を行う親機送信制御手段と、通信インフラとのデータ通信を行なう上流側データ通信インターフェース手段と、前記通信インフラからのデータをダウンロードし少なくとも前記顧客ＩＤ記憶手段Ｃにデータを設定する親機ダウンロード手段Ｂを備えた親機と、データ送信またはデータ受信を行う子機無線通信手段と、前記子機無線通信手段が送信時にデータに付加するユニークな識別符号（ＩＤ）を記憶する子機ＩＤ記憶手段と、顧客のＩＤを記憶する顧客ＩＤ記憶手段Ｂと、通信を行う親機のＩＤを記憶する親機ＩＤ子記憶手段と、親機との縁組を行い前記子機ＩＤ記憶手段のデータを前記子機ＩＤ親記憶手段に設定する子機縁組制御手段Ｂと、親機からの受信が指定の親機ＩＤかどうかを判別する親機ＩＤ判別手段と、前記子機ＩＤ記憶手段に内容を登録する子機登録手段と、前記親機ＩＤ判別手段からの情報を解析する子機受信解析手段と、前記子機無線通信手段にデータ送信の処理を行う子機送信制御手段と、端末機器とのデータ通信を行なう端末データ通信インターフェース手段とを備えた子機を有するものである。
【００１４】
そして、子機に顧客ＩＤを設定せずに縁組がでると共に、親機に顧客ＩＤを記憶するためにセンターロードを短時間で行うことが可能となる。
【００１５】
第４の発明は、親機と複数の子機から構成され無線を介して通信を行う無線通信システムにおいて、データ送信またはデータ受信を行う親機無線通信手段と、前記親機無線通信手段が送信時にデータに付加するユニークな識別符号（ＩＤ）を記憶する親機ＩＤ記憶手段と、顧客ＩＤを子機に設定するよう動作すると共に顧客ＩＤを記憶する顧客ＩＤ記憶手段Ｄと、通信を行う複数の子機ＩＤを記憶する子機ＩＤ親記憶手段と、子機との縁組を行い前記子機ＩＤ親記憶手段に子機ＩＤを設定する親機縁組制御手段Ｂと、子機からの受信が指定の子機ＩＤかどうかを判別する子機ＩＤ判別手段と、前記親機ＩＤ記憶手段に内容を登録する親機登録手段と、前記子機ＩＤ判別手段からの情報を解析する親機受信解析手段と、前記親機無線通信手段にデータ送信の処理を行う親機送信制御手段と、通信インフラとのデータ通信を行なう上流側データ通信インターフェース手段と、前記通信インフラからのデータをダウンロードし少なくとも前記顧客ＩＤ記憶手段Ａにデータを設定する親機ダウンロード手段Ｃを備えた親機と、データ送信またはデータ受信を行う子機無線通信手段と、前記子機無線通信手段が送信時にデータに付加するユニークな識別符号（ＩＤ）を記憶する子機ＩＤ記憶手段と、顧客のＩＤを記憶する顧客ＩＤ記憶手段Ｂと、通信を行う親機のＩＤを記憶する親機ＩＤ子記憶手段と、親機との縁組を行い前記子機ＩＤ記憶手段のデータを前記子機ＩＤ親記憶手段に設定する子機縁組制御手段Ｂと、親機からの受信が指定の親機ＩＤかどうかを判別する親機ＩＤ判別手段と、前記子機ＩＤ記憶手段に内容を登録する子機登録手段と、前記親機ＩＤ判別手段からの情報を解析する子機受信解析手段と、前記子機無線通信手段にデータ送信の処理を行う子機送信制御手段と、端末機器とのデータ通信を行なう端末データ通信インターフェース手段と、親機からのデータをダウンロードし少なくとも前記顧客ＩＤ記憶手段Ｂにデータを設定する子機ダウンロード手段Ｃを備えた子機を有するものである。
【００１６】
そして、子機に顧客ＩＤを設定せずに親機との縁組ができると共に、複数の子機に一度に顧客ＩＤを設定することが可能となり通信時間を短縮することができる。
【００１７】
第５の発明は、親機と複数の子機から構成され無線を介して通信を行う無線通信システムにおいて、データ送信またはデータ受信を行う親機無線通信手段と、前記親機無線通信手段が送信時にデータに付加するユニークな識別符号（ＩＤ）を記憶する親機ＩＤ記憶手段と、顧客ＩＤを子機に設定するよう動作すると共に顧客ＩＤを記憶する顧客ＩＤ記憶手段Ｅと、通信を行う複数の子機ＩＤを記憶する子機ＩＤ親記憶手段と、子機との縁組を行い前記子機ＩＤ親記憶手段に子機ＩＤを設定する親機縁組制御手段Ｃと、子機からの受信が指定の子機ＩＤかどうかを判別する子機ＩＤ判別手段と、前記親機ＩＤ記憶手段に内容を登録する親機登録手段と、前記子機ＩＤ判別手段からの情報を解析する親機受信解析手段と、前記親機無線通信手段にデータ送信の処理を行う親機送信制御手段と、通信インフラとのデータ通信を行なう上流側データ通信インターフェース手段と、前記通信インフラからのデータをダウンロードし少なくとも前記顧客ＩＤ記憶手段Ｅにデータを設定する親機ダウンロード手段Ｄを備えた親機と、データ送信またはデータ受信を行う子機無線通信手段と、前記子機無線通信手段が送信時にデータに付加するユニークな識別符号（ＩＤ）を記憶する子機ＩＤ記憶手段と、通信を行う親機のＩＤを記憶する親機ＩＤ子記憶手段と、親機との縁組を行い前記子機ＩＤ記憶手段のデータを前記子機ＩＤ親記憶手段に設定する子機縁組制御手段Ｃと、親機からの受信が指定の親機ＩＤかどうかを判別する親機ＩＤ判別手段と、前記子機ＩＤ記憶手段に内容を登録する子機登録手段と、前記親機ＩＤ判別手段からの情報を解析する子機受信解析手段と、前記子機無線通信手段にデータ送信の処理を行う子機送信制御手段と、端末機器とのデータ通信を行なう端末データ通信インターフェース手段とを備えた子機を有するものである。
【００１８】
そして、子機に顧客ＩＤを設定せずに親機との縁組ができると共に、複数の顧客ＩＤを親機に設定することが可能となり通信時間を短縮することができる。
【００１９】
以下、本発明の実施の形態について図面を用いて説明する。なお、この実施の形態によって本発明が限定されるものではない。
【００２０】
（実施の形態１）
図１は本発明の実施の形態１の無線データ収集システムを示すブロック図である。
【００２１】
図１において、１は親機でありデータ送信またはデータ受信を行う親機無線通信手段３と、親機無線通信手段が送信時にデータに付加するユニークな識別符号（ＩＤ）を記憶する予め製造過程で設定されている親機ＩＤ記憶手段４と、顧客ＩＤを子機に設定するよう動作すると共に顧客ＩＤを記憶する顧客ＩＤ記憶手段Ａ３と、通信を行う子機ＩＤを記憶する子機ＩＤ親記憶手段６と、子機との縁組を行い子機ＩＤ親記憶手段６に子機ＩＤを顧客ＩＤ記憶手段Ａ３に顧客ＩＤ記憶手段Ｂ２３の内容を設定する親機縁組制御手段Ａ８と、子機からの受信が指定の子機ＩＤかどうかを判別する子機ＩＤ判別手段５と、親機ＩＤ記憶手段４に内容を登録する親機登録手段７と、子機ＩＤ判別手段５からの情報を解析する親機受信解析手段９と、親機無線通信手段２にデータ送信の処理を行う親機送信制御手段１０と、通信インフラ１３とのデータ通信を行なう上流側データ通信インターフェース手段１１と、通信インフラ１３からのデータをダウンロードし少なくとも顧客ＩＤ記憶手段Ａ３にデータを設定する親機ダウンロード手段Ａ１２を備えている。一方、２１は子機であり、データ送信またはデータ受信を行う子機無線通信手段２２と、子機無線通信手段２２が送信時にデータに付加するユニークな識別符号（ＩＤ）を記憶する子機ＩＤ記憶手段２４と、顧客のＩＤを記憶する顧客ＩＤ記憶手段Ｂ２３と、通信を行う親機のＩＤを記憶する親機ＩＤ手段２６と、親機との縁組を行い親機ＩＤ記憶手段４の内容を親機ＩＤ子記憶手段２６に設定する子機縁組制御手段Ａ２８と、親機からの受信が指定の親機ＩＤかどうかを判別する親機ＩＤ判別手段２５と、子機ＩＤ記憶手段２４に内容を登録する子機登録手段２７と、親機ＩＤ判別手段２５からの情報を解析する子機受信解析手段２９と、子機無線通信手段２２にデータ送信の処理を行う子機送信制御手段３０と、メータや設定器などの端末機器３３とのデータ通信を行なう端末データ通信インターフェース手段３１と、親機からのデータをダウンロードし少なくとも顧客ＩＤ記憶手段Ｂ２３にデータを設定する子機ダウンロード手段Ａ３２を備えている。
【００２２】
次に本発明の動作を図２のシーケンスを用いて説明する。（１）にて親機１の親機縁組制御手段Ａ８を操作し、その後すぐに（２）で子機２１の子機縁組制御手段Ａ２８を操作する。子機２１は子機ＩＤ記憶手段２４のデータと顧客ＩＤ記憶手段Ｂ２３の内容を親機１に送信することにより、親機１はそのデータを子機ＩＤ親記憶手段６と顧客ＩＤ記憶手段Ａ３に記憶させた後（３）で応答を送出し、（４）で縁組を完了する。前期子機縁組制御手段Ａ２８は顧客ＩＤ記憶手段Ｂ２３の内容が初期値（ＮＵＬＬ、または０等）であっても動作するよう構成してある。
【００２３】
次に（５）センターより通信インフラ１３を介してダウンロードを行う。親機１はセンターと接続すると、センターから所定のデータが送信され、（６）で顧客ＩＤや通報先電番号などのデータが親機１に設定される。（７）で親機１はこのデータを子機２１に転送し、顧客ＩＤを顧客ＩＤ記憶手段Ａ３、顧客ＩＤ記憶手段Ｂ２４に設定する。また、通報先電話番号なども所定の記憶箇所に記憶され（８）でセンターロードを完了する。以後、子機２１からセンターに通報などを行う場合にはこの顧客ＩＤを送付するため、センターはどの顧客から通報された情報かを判別することができる。
以上のように、顧客ＩＤ記憶手段Ｂ２３が初期値であっても親機１と子機２３の縁組が可能になるため縁組の手順が簡略化されると共に、子機２１への顧客ＩＤの設定間違いを防止することが可能となる。
【００２４】
（実施の形態２）
図３は本発明の実施の形態２の無線データ収集システムを示すブロック図である。
【００２５】
図３において、１は親機でありデータ送信またはデータ受信を行う親機無線通信手段３と、親機無線通信手段が送信時にデータに付加するユニークな識別符号（ＩＤ）を記憶する予め製造過程で設定されている親機ＩＤ記憶手段４と、顧客ＩＤを子機に設定するよう動作すると共に顧客ＩＤを記憶する顧客ＩＤ記憶手段Ａ３と、通信を行う子機ＩＤを記憶する子機ＩＤ親記憶手段６と、子機との縁組を行い子機ＩＤ親記憶手段６に子機ＩＤ記憶手段２４の内容を設定する親機縁組制御手段Ａ８と、子機からの受信が指定の子機ＩＤかどうかを判別する子機ＩＤ判別手段５と、親機ＩＤ記憶手段４に内容を登録する親機登録手段７と、子機ＩＤ判別手段５からの情報を解析する親機受信解析手段９と、親機無線通信手段２にデータ送信の処理を行う親機送信制御手段１０と、通信インフラ１３とのデータ通信を行なう上流側データ通信インターフェース手段１１と、通信インフラ１３からのデータをダウンロードし少なくとも顧客ＩＤ記憶手段Ａ３にデータを設定する親機ダウンロード手段Ａ１２を備えている。一方、２１は子機であり、データ送信またはデータ受信を行う子機無線通信手段２２と、子機無線通信手段２２が送信時にデータに付加するユニークな識別符号（ＩＤ）を記憶する子機ＩＤ記憶手段２４と、顧客のＩＤを記憶する顧客ＩＤ記憶手段Ｂ２３と、通信を行う親機のＩＤを記憶する親機ＩＤ手段２６と、親機との縁組を行い親機ＩＤ記憶手段４の内容を親機ＩＤ子記憶手段２６に設定する子機縁組制御手段Ａ２８と、親機からの受信が指定の親機ＩＤかどうかを判別する親機ＩＤ判別手段２５と、子機ＩＤ記憶手段２４に内容を登録する子機登録手段２７と、親機ＩＤ判別手段２５からの情報を解析する子機受信解析手段２９と、子機無線通信手段２２にデータ送信の処理を行う子機送信制御手段３０と、メータや設定器などの端末機器３３とのデータ通信を行なう端末データ通信インターフェース手段３１と、親機からのデータをダウンロードし少なくとも顧客ＩＤ記憶手段Ｂ２３にデータを設定する子機ダウンロード手段Ａ３２を備えている。
【００２６】
次に本発明の動作を図４のシーケンスを用いて説明する。（１）にて親機１の親機縁組制御手段Ａ８を操作し、その後すぐに（２）で子機２１の子機縁組制御手段Ａ２８を操作する。子機２１は子機ＩＤ記憶手段２４のデータの内容を親機１に送信することにより、親機１はそのデータを子機ＩＤ親記憶憶手段６に記憶させた後（３）で応答を送出し、（４）で縁組を完了する。次に（５）センターより通信インフラ１３を介してダウンロードを行う。親機１はセンターと接続すると、センターから所定のデータが送信され、（６）で顧客ＩＤや通報先電番号などのデータが親機１に設定される。（７）で親機１はこのデータを子機２１に転送し、顧客ＩＤを顧客ＩＤ記憶手段Ａ３、顧客ＩＤ記憶手段Ｂ２４に設定する。また、通報先電話番号なども所定の記憶箇所に記憶され（８）でセンターロードを完了する。以後、子機２１からセンターに通報などを行う場合にはこの顧客ＩＤを送付するため、センターはどの顧客から通報された情報かを判別することができる。
【００２７】
以上のように、子機ＩＤ記憶手段の内容で親機１と子機２３の縁組が可能になるため縁組の手順が簡略化されると共に、子機２１への顧客ＩＤの設定間違いを防止することが可能となる。
【００２８】
（実施の形態３）
図５は本発明の実施の形態３の無線データ収集システムを示すブロック図である。
図５において、１は親機でありデータ送信またはデータ受信を行う親機無線通信手段３と、親機無線通信手段が送信時にデータに付加するユニークな識別符号（ＩＤ）を記憶する予め製造過程で設定されている親機ＩＤ記憶手段４と、子機の顧客ＩＤ記憶する顧客ＩＤ記憶手段Ｃ１５と、通信を行う子機ＩＤを記憶する子機ＩＤ親記憶手段６と、子機との縁組を行い子機ＩＤ親記憶手段６に子機ＩＤ記憶手段２４の内容を設定する親機縁組制御手段Ｂ１４と、子機からの受信が指定の子機ＩＤかどうかを判別する子機ＩＤ判別手段５と、親機ＩＤ記憶手段４に内容を登録する親機登録手段７と、子機ＩＤ判別手段５からの情報を解析する親機受信解析手段９と、親機無線通信手段２にデータ送信の処理を行う親機送信制御手段１０と、通信インフラ１３とのデータ通信を行なう上流側データ通信インターフェース手段１１と、通信インフラ１３からのデータをダウンロードし少なくとも顧客ＩＤ記憶手段Ｃ１５データを設定する親機ダウンロード手段Ｂ１６を備えている。一方、２１は子機であり、データ送信またはデータ受信を行う子機無線通信手段２２と、子機無線通信手段２２が送信時にデータに付加するユニークな識別符号（ＩＤ）を記憶する子機ＩＤ記憶手段２４と、通信を行う親機のＩＤを記憶する親機ＩＤ手段２６と、親機との縁組を行い親機ＩＤ記憶手段４の内容を親機ＩＤ子記憶手段２６に設定する子機縁組制御手段Ｂ３４と、親機からの受信が指定の親機ＩＤかどうかを判別する親機ＩＤ判別手段２５と、子機ＩＤ記憶手段２４に内容を登録する子機登録手段２７と、親機ＩＤ判別手段２５からの情報を解析する子機受信解析手段２９と、子機無線通信手段２２にデータ送信の処理を行う子機送信制御手段３０と、メータや設定器などの端末機器３３とのデータ通信を行なう端末データ通信インターフェース手段３１を備えている。
【００２９】
次に本発明の動作を図５のシーケンスを用いて説明する。（１）にて親機１の親機縁組制御手段Ａ８を操作し、その後すぐに（２）で子機２１の子機縁組制御手段Ａ２８を操作する。子機２１は子機ＩＤ記憶手段２４のデータの内容を親機１に送信することにより、親機１はそのデータを子機ＩＤ親記憶憶手段６に記憶させた後（３）で応答を送出し、（４）で縁組を完了する。次に（５）センターより通信インフラ１３を介してダウンロードを行う。親機１はセンターと接続すると、センターから所定のデータが送信され、（６）で顧客ＩＤを顧客ＩＤ記憶手段Ｃ１５に設定し、（７）でセンターロードを完了する。以後、子機２１からセンターに通報などを行う場合には親機１が子機ＩＤ記憶手段２４の内容と子機ＩＤ親記憶手段６の内容を照合し、自分のサポートする子機であると判断すると、顧客ＩＤ記憶手段Ｃ１５の内容をデータに付加してセンターへ送信するため、センターはどの顧客から通報された情報かを判別することができる。
【００３０】
以上のように、子機ＩＤ記憶手段の内容で親機１と子機２３の縁組が可能になるため縁組の手順が簡略化されると共に、親機１が顧客ＩＤを記憶するため子機への設定時間を短縮させることが可能となる。
【００３１】
（実施の形態４）
図７は本発明の実施の形態４の無線データ収集システムを示すブロック図である。
【００３２】
図７において、１は親機でありデータ送信またはデータ受信を行う親機無線通信手段３と、親機無線通信手段が送信時にデータに付加するユニークな識別符号（ＩＤ）を記憶する予め製造過程で設定されている親機ＩＤ記憶手段４と、複数の顧客ＩＤを子機に設定するよう動作すると共に顧客ＩＤを記憶する顧客ＩＤ記憶手段Ｄ１７と、通信を行う子機ＩＤを記憶する子機ＩＤ親記憶手段６と、子機との縁組を行い子機ＩＤ親記憶手段６に複数の子機ＩＤ記憶手段２４の内容を設定する親機縁組制御手段Ｂ１４と、子機からの受信が指定の子機ＩＤかどうかを判別する子機ＩＤ判別手段５と、親機ＩＤ記憶手段４に内容を登録する親機登録手段７と、子機ＩＤ判別手段５からの情報を解析する親機受信解析手段９と、親機無線通信手段２にデータ送信の処理を行う親機送信制御手段１０と、通信インフラ１３とのデータ通信を行なう上流側データ通信インターフェース手段１１と、通信インフラ１３からのデータをダウンロードし少なくとも顧客ＩＤ記憶手段Ｄ１７にデータを設定する親機ダウンロード手段Ｃ１８を備えている。一方、２１は子機であり、データ送信またはデータ受信を行う子機無線通信手段２２と、子機無線通信手段２２が送信時にデータに付加するユニークな識別符号（ＩＤ）を記憶する子機ＩＤ記憶手段２４と、顧客のＩＤを記憶する顧客ＩＤ記憶手段Ｂ２３と、通信を行う親機のＩＤを記憶する親機ＩＤ手段２６と、親機との縁組を行い親機ＩＤ記憶手段４の内容を親機ＩＤ子記憶手段２６に設定する子機縁組制御手段Ａ２８と、親機からの受信が指定の親機ＩＤかどうかを判別する親機ＩＤ判別手段２５と、子機ＩＤ記憶手段２４に内容を登録する子機登録手段２７と、親機ＩＤ判別手段２５からの情報を解析する子機受信解析手段２９と、子機無線通信手段２２にデータ送信の処理を行う子機送信制御手段３０と、メータや設定器などの端末機器３３とのデータ通信を行なう端末データ通信インターフェース手段３１と、親機からのデータをダウンロードし少なくとも顧客ＩＤ記憶手段Ｂ２３にデータを設定する子機ダウンロード手段Ｃ３５を備えている。また、別の子機２１ａにも子機２１と同様の内容で構成されている。
【００３３】
次に本発明の動作を図８のシーケンスを用いて説明する。（１）にて親機１の親機縁組制御手段Ａ８を操作し、その後すぐに（２）で子機２１の子機縁組制御手段Ａ２８を操作する。次に、別の子機２１ａについても同様に（５）、（６）、（７）、（８）の動作を行わせ縁組を行う。子機２１や子機２１ａは子機ＩＤ記憶手段２４のデータの内容をそれぞれ親機１に送信することにより、親機１はそのデータを子機ＩＤ親記憶憶手段６に記憶させた後で応答を送出し縁組を完了する。次に（９）センターより通信インフラ１３を介してダウンロードを行う。親機１はセンターと接続すると、センターから所定のデータが送信され、（１０）で顧客ＩＤや通報先電番号などのデータが親機１に設定される。（１１）で親機１はこのデータを子機２１に転送し、顧客ＩＤを顧客ＩＤ記憶手段Ａ３、顧客ＩＤ記憶手段Ｂ２４に設定する。また、子機２１ａにも同様に(13)で顧客ＩＤが続けて設定される。また、通報先電話番号なども所定の記憶箇所に記憶され(14)でセンターロードを完了する。以後、子機２１からセンターに通報などを行う場合にはこの顧客ＩＤを送付するため、センターはどの顧客から通報された情報かを判別することができる。
【００３４】
以上のように、複数の子機ＩＤ記憶手段の内容で親機１と子機２３の縁組が可能になるため縁組の手順が簡略化されると共に、子機２１への顧客ＩＤの設定間違いを防止することが可能となる。
【００３５】
（実施の形態５）
図９は本発明の実施の形態５の無線データ収集システムを示すブロック図である。
図９において、１は親機でありデータ送信またはデータ受信を行う親機無線通信手段３と、親機無線通信手段が送信時にデータに付加するユニークな識別符号（ＩＤ）を記憶する予め製造過程で設定されている親機ＩＤ記憶手段４と、複数の子機の顧客ＩＤ記憶する顧客ＩＤ記憶手段Ｅ１７と、通信を行う子機ＩＤを記憶する子機ＩＤ親記憶手段６と、子機との縁組を行い子機ＩＤ親記憶手段６に子機ＩＤ記憶手段２４の内容を設定する親機縁組制御手段Ｃ１９と、子機からの受信が指定の子機ＩＤかどうかを判別する子機ＩＤ判別手段５と、親機ＩＤ記憶手段４に内容を登録する親機登録手段７と、子機ＩＤ判別手段５からの情報を解析する親機受信解析手段９と、親機無線通信手段２にデータ送信の処理を行う親機送信制御手段１０と、通信インフラ１３とのデータ通信を行なう上流側データ通信インターフェース手段１１と、通信インフラ１３からのデータをダウンロードし少なくとも顧客ＩＤ記憶手段Ｅ１７に複数の子機のデータを設定する親機ダウンロード手段Ｄ２０を備えている。一方、２１は子機であり、データ送信またはデータ受信を行う子機無線通信手段２２と、子機無線通信手段２２が送信時にデータに付加するユニークな識別符号（ＩＤ）を記憶する子機ＩＤ記憶手段２４と、通信を行う親機のＩＤを記憶する親機ＩＤ手段２６と、親機との縁組を行い親機ＩＤ記憶手段４の内容を親機ＩＤ子記憶手段２６に設定する子機縁組制御手段Ｃ３６と、親機からの受信が指定の親機ＩＤかどうかを判別する親機ＩＤ判別手段２５と、子機ＩＤ記憶手段２４に内容を登録する子機登録手段２７と、親機ＩＤ判別手段２５からの情報を解析する子機受信解析手段２９と、子機無線通信手段２２にデータ送信の処理を行う子機送信制御手段３０と、メータや設定器などの端末機器３３とのデータ通信を行なう端末データ通信インターフェース手段３１を備えている。
【００３６】
次に本発明の動作を図１０のシーケンスを用いて説明する。（１）にて親機１の親機縁組制御手段Ａ８を操作し、その後すぐに（２）で子機２１の子機縁組制御手段Ａ２８を操作する。次に、別の子機２１ａについても同様に（５）、（６）、（７）、（８）の動作を行わせ縁組を行う。子機２１や子機２１ａは子機ＩＤ記憶手段２４のデータの内容をそれぞれ親機１に送信することにより、親機１はそのデータを子機ＩＤ親記憶憶手段６に記憶させた後で応答を送出し縁組を完了する。次に（９）センターより通信インフラ１３を介してダウンロードを行う。親機１はセンターと接続すると、センターから所定のデータが送信され、（１０）で複数の顧客ＩＤを顧客ＩＤ記憶手段Ｅ１７に設定し、(14)でセンターロードを完了する。以後、子機２１からセンターに通報などを行う場合には親機１が子機ＩＤ記憶手段２４の内容と子機ＩＤ親記憶手段６の内容を照合し、自分のサポートする子機であると判断すると、顧客ＩＤ記憶手段Ｃ１５の内容をデータに付加してセンターへ送信するため、センターはどの顧客から通報された情報かを判別することができる。
【００３７】
以上のように、複数の子機ＩＤ記憶手段の内容で親機１と子機２３の縁組が可能になるため縁組の手順が簡略化されると共に、親機１が顧客ＩＤを記憶するため子機への設定時間を短縮させることが可能となる。
【産業上の利用可能性】
【００３８】
以上のように、本発明にかかる無線データ収集システムによると、顧客ＩＤ記憶手段が初期値であっても親機と子機の縁組が可能になるため縁組の手順が簡略化されると共に、子機への顧客ＩＤの設定間違いを防止することが可能となるので、ＩＤ登録の必要な種々の通信機器に適用することが出来る。
【図面の簡単な説明】
【００３９】
【図１】本発明の実施の形態１における無線データ収集システムのブロック図
【図２】本発明の実施の形態１における無線データ収集システムの動作シーケンス図
【図３】本発明の実施の形態２における無線データ収集システムのブロック図
【図４】本発明の実施の形態２における無線データ収集システムの動作シーケンス図
【図５】本発明の実施の形態３における無線データ収集システムのブロック図
【図６】本発明の実施の形態３における無線データ収集システムの動作シーケンス図
【図７】本発明の実施の形態４における無線データ収集システムのブロック図
【図８】本発明の実施の形態４における無線データ収集システムの動作シーケンス図
【図９】本発明の実施の形態５における無線データ収集システムのブロック図
【図１０】本発明の実施の形態５における無線データ収集システムの動作シーケンス図
【図１１】従来の無線データ収集システムのブロック図
【図１２】従来の無線データ収集システムの動作シーケンス図
【符号の説明】
【００４０】
１  親機
２  親機無線通信手段
３  顧客ＩＤ記憶手段Ａ
４  親機ＩＤ記憶手段
５  子機ＩＤ判別手段
６  子機ＩＤ親記憶手段
７  子機登録手段
８  親機縁組制御手段Ａ
９  親機受信解析手段
１０  親機送信手段
１１  上流側データ通信インタフェース手段
１２  親機ダウンロード手段Ａ
１３  通信インフラ
２１  子機
２２  子機無線通信手段
２３  顧客ＩＤ記憶手段Ｂ
２４  子機ＩＤ記憶手段
２５  親機ＩＤ判別手段
２６  親機ＩＤ記憶手段
２７  子機登録手段
２８  子機縁組制御手段Ａ
２９  子機受信解析手段
３０  子機送信制御手段
３１  端末データ通信インタフェース手段
３２  子機ダウンロード手段Ａ
３３  端末機器
【図１】
2005260538.tif 000003
【図２】
2005260538.tif 000004
【図３】
2005260538.tif 000005
【図４】
2005260538.tif 000006
【図５】
2005260538.tif 000007
【図６】
2005260538.tif 000008
【図７】
2005260538.tif 000009
【図８】
2005260538.tif 000010
【図９】
2005260538.tif 000011
【図１０】
2005260538.tif 000012
【図１１】
2005260538.tif 000013
【図１２】
2005260538.tif 000014